(57)【要約】【課題】安全性を確保しつつ効率的な給電を行えるようにする。【解決手段】燃料電池ユニットは、化学反応により発電可能なＤＭＦＣセルスタック２２５と、ＤＭＦＣセルスタック２２５ＤＭＦＣ２２内の燃料を循環させるポンプ（補機）５１と、ポンプ５１に対し電源供給を行うポンプ電源５２（補機用電源回路）とを具備する。ポンプ電源５２は、ＤＭＦＣセルスタック２２５（もしくは単セル）の出力電圧を監視し、当該出力電圧が所定値となるようにポンプ５１の出力を制御する機能を有する。  【選択図】      図５
2005108712.tif 000002
【特許請求の範囲】
【請求項１】
化学反応により発電可能な燃料電池と、
前記燃料電池内の燃料を循環させるポンプを含む補機と、
前記補機に対し電源供給を行う電源回路とを具備し、
前記電源回路は、前記燃料電池におけるセルの出力電圧を監視し、当該出力電圧が所定値となるように前記補機の出力を制御することを特徴とする電池ユニット。
【請求項２】
前記所定値は、前記セルの出力電力のピーク値における電圧値よりも高い値であることを特徴とする請求項１記載の電池ユニット。
【請求項３】
化学反応により発電可能な燃料電池と、
繰り返し充放電可能な２次電池と、
前記燃料電池から出力される電力に対してＤＣ／ＤＣ変換を行ってから電力を出力するＤＣ／ＤＣコンバータと、
前記ＤＣ／ＤＣコンバータから出力される電力と前記２次電池から出力される電力とから、給電先の負荷に応じた電力を選択的に取得して出力するダイオードＯＲ回路と、
前記燃料電池内の燃料を循環させるポンプを含む補機と、
前記補機に対し電源供給を行う電源回路とを具備し、
前記電源回路は、前記燃料電池におけるセルの出力電圧を監視し、当該出力電圧が第１の値となるように前記補機の出力を制御し、
前記ＤＣ／ＤＣコンバータは、前記燃料電池におけるセルの出力電圧を監視し、当該出力電圧が前記第１の値を下回って第２の値に達した場合に当該ＤＣ／ＤＣコンバータの出力電圧を垂下させることを特徴とする電池ユニット。
【請求項４】
前記第１の値および前記第２の値は、前記セルの出力電力のピーク値における電圧値よりも高い値であることを特徴とする請求項３記載の電池ユニット。
【請求項５】
前記ＤＣ／ＤＣコンバータは、前記セルの出力電圧が前記第２の値以下となったときには、出力電流の値にかかわらず一定の出力電力を形成することを特徴とする請求項４記載の電池ユニット。
【請求項６】
化学反応により発電可能な燃料電池と、前記燃料電池内の燃料を循環させるポンプを含む補機と、前記補機に対し電源供給を行う電源回路とを具備する電池ユニットに適用される出力制御方法であって、
前記電源回路において、前記燃料電池におけるセルの出力電圧を監視し、
前記出力電圧が所定値となるように前記補機の出力を制御することを特徴とする出力制御方法。
【請求項７】
前記所定値は、前記セルの出力電力のピーク値における電圧値よりも高い値であることを特徴とする請求項６記載の出力制御方法。
【請求項８】
化学反応により発電可能な燃料電池と、繰り返し充放電可能な２次電池と、前記燃料電池から出力される電力に対してＤＣ／ＤＣ変換を行ってから電力を出力するＤＣ／ＤＣコンバータと、前記ＤＣ／ＤＣコンバータから出力される電力と前記２次電池から出力される電力とから、給電先の負荷に応じた電力を選択的に取得して出力するダイオードＯＲ回路と、前記燃料電池内の燃料を循環させるポンプを含む補機と、前記補機に対し電源供給を行う電源回路とを具備する電池ユニットに適用される出力制御方法であって、
前記電源回路において、前記燃料電池におけるセルの出力電圧を監視し、当該出力電圧が第１の値となるように前記補機の出力を制御し、
前記ＤＣ／ＤＣコンバータにおいて、前記燃料電池におけるセルの出力電圧を監視し、当該出力電圧が前記第１の値を下回って第２の値に達した場合に当該ＤＣ／ＤＣコンバータの出力電圧を垂下させることを特徴とする出力制御方法。
【請求項９】
前記第１の値および前記第２の値は、前記セルの出力電力のピーク値における電圧値よりも高い値であることを特徴とする請求項８記載の出力制御方法。
【請求項１０】
前記ＤＣ／ＤＣコンバータにおいて、前記セルの出力電圧が前記第２の値以下となったときには、出力電流の値にかかわらず一定の出力電力を形成することを特徴とする請求項９記載の出力制御方法。
【発明の詳細な説明】
【技術分野】
【０００１】
本発明は、例えばダイレクト・メタノール方式の燃料電池を有する電池ユニットおよび出力制御方法に関する。
【背景技術】
【０００２】
近年、例えばＰＤＡ（Personal Digital Assistant）などと称される携帯情報端末やデジタルカメラなど、バッテリにより駆動可能な携帯型の電子機器が種々開発され、広く普及している。
【０００３】
また、最近、環境問題が大きな注目を集めており、環境に配慮したバッテリ開発も盛んに行われている。そして、この種のバッテリとして、ダイレクト・メタノール型燃料電池（以下、ＤＭＦＣ：Direct Methanol Fuel Cell）が良く知られている。
【０００４】
このＤＭＦＣは、燃料として与えられるメタノールと酸素を反応させ、その化学反応により電気エネルギーを得るものであり、多孔性金属または炭素からなる２つの電極が電解質をはさんだ構造をもつ。そして、このＤＭＦＣは、有害な廃棄物を発生させないため、その実用化が強く求められている。
【０００５】
また、ＤＭＦＣには、単位面積（体積）あたりの出力をあげるために、送液・送風ポンプなどの補機が備えられているものがある。このタイプのＤＭＦＣの起動時にはこれらの補機を駆動する必要があるため、一般に、ＤＭＦＣにはリチウム電池などの２次電池が設けられている。
【０００６】
なお、ＤＭＦＣの技術に関しては、非特許文献１などに開示されている。
【非特許文献１】池田宏之助著「燃料電池のすべて」株式会社日本実業出版社、２００１年８月２０日、ｐ２１６−２１７
【発明の開示】
【発明が解決しようとする課題】
【０００７】
上述した補機は、燃料であるメタノール水溶液と酸素とを循環させるために使用され、単位面積あたりの発電能力を上げるのに必要な機構である。
【０００８】
しかしながら、もし補機の出力が小さすぎるとＤＭＦＣの出力が上がらないという問題がある。一方、補機の出力が大きすぎると、無駄な熱損失が増加してしまうという問題がある。このため、ＤＭＦＣの燃料利用効率が低下しないように制御する技術の提示が望まれる。
【０００９】
本発明は上記実情に鑑みてなされたものであり、燃料利用効率を向上させることのできる電池ユニットおよび出力制御方法を提供することを目的とする。
【課題を解決するための手段】
【００１０】
本発明に係る電池ユニットは、化学反応により発電可能な燃料電池と、前記燃料電池内の燃料を循環させるポンプを含む補機と、前記補機に対し電源供給を行う電源回路とを具備し、前記電源回路は、前記燃料電池におけるセルの出力電圧を監視し、当該出力電圧が所定値となるように前記補機の出力を制御することを特徴とする。
【００１１】
また、本発明に係る出力制御方法は、化学反応により発電可能な燃料電池と、前記燃料電池内の燃料を循環させるポンプを含む補機と、前記補機に対し電源供給を行う電源回路とを具備する電池ユニットに適用される出力制御方法であって、前記電源回路において、前記燃料電池におけるセルの出力電圧を監視し、前記出力電圧が所定値となるように前記補機の出力を制御することを特徴とする。
【発明の効果】
【００１２】
電池ユニットにおいて燃料利用効率を向上させることができる。
【発明を実施するための最良の形態】
【００１３】
以下、図面を参照して本発明の実施形態を説明する。  
図１は、本発明の一実施形態に係る電子機器システムの外観を示す図である。
【００１４】
図１に示すように、この実施形態の電子機器システムは、電子機器１と、この電子機器１に着脱自在な燃料電池ユニット２とで構成される。電子機器１は、例えば、内側面にＬＣＤ（Liquid Crystal Display）を配したフタ部がヒンジ機構により開閉自在に本体部に取り付けられたノート型のパーソナルコンピュータであり、燃料電池ユニット２から供給される電力により動作可能である。一方、燃料電池ユニット２は、化学反応により発電可能なＤＭＦＣと、繰り返し充放電可能な２次電池とを内蔵している。  
図２は、燃料電池ユニット２の概略構成を示す図である。  
図２に示すように、燃料電池ユニット２は、マイコン２１、ＤＭＦＣ２２、２次電池２３、充電回路２４、供給制御回路２５、および操作ボタン２６を有している。  
マイコン２１は、この燃料電池ユニット２全体を動作制御するものであり、電子機器１との間で信号を送受信する通信機能を有する。また、マイコン２１は、電子機器１からの指示信号に従ってＤＭＦＣ２２や２次電池２３の動作を制御したり、操作ボタン２６の操作に応じて対応する処理を実行したりする。
【００１５】
ＤＭＦＣ２２は、カートリッジ式の燃料タンク２２１を着脱できるようになっており、この燃料タンク２２１に格納されたメタノールと空気（酸素）とを化学反応させた際に発電される電力を出力する。この化学反応は、セルスタックなどと称される反応部で行われるが、このセルスタックにメタノールと空気とを効率的に送り込むために、このＤＭＦＣ２２は、ポンプなどの補機（補助機構）を備えている。また、このＤＭＦＣ２２は、燃料タンク２２１の装着有無、燃料タンク２２１内のメタノールの残量、補機の稼働状況および現在の出力電力量をマイコン２１に通知する機構を有する。
【００１６】
２次電池２３は、ＤＭＦＣ２２から出力される電力を充電回路２４経由で蓄積し、マイコン２１からの指示に応じて、この蓄積した電力を出力する。また、この２次電池２３は、その放電特性などを示す基本情報を保持するＥＥＰＲＯＭ２３１を備えている。このＥＥＰＲＯＭ２３１は、マイコン２１からアクセスすることができ、また、２次電池２３は、現在の出力電圧値および出力電流値をマイコン２１に通知する機構を有する。そして、マイコン２１は、ＥＥＰＲＯＭ２３１から読み出した基本情報と２次電池から通知される出力電圧値および出力電流値とから２次電池２３のバッテリ残量を算出し、その値を電子機器１へ通知する。なお、ここでは、この２次電池２３は、リチウム電池（ＬＩＢ）であるものと想定する。
【００１７】
充電回路２４は、ＤＭＦＣ２２から出力される電力を用いて２次電池２３を充電するための回路であり、その充電有無はマイコン２１によって制御される。
【００１８】
供給制御回路２５は、ＤＭＦＣ２２および２次電池２３の電力を状況に応じて外部出力するための回路である。
【００１９】
操作ボタン２６は、ＤＭＦＣ２２もしくは燃料電池ユニット２全体の動作停止などを指示するための専用ボタンである。なお、この操作ボタンと同じ機能を、例えば電子機器１側のＬＣＤ画面上でアプリケーションが提示するボタンで実現するようにしてもよいし、電子機器１側の電源ボタンを長押しする（所定時間以上押し続ける）ことで実現するようにしてもよい。
【００２０】
図３は、上記燃料電池ユニット２の燃料循環機構の構成を示す図である。なお、図２と共通する要素には同一の符号を付している。
【００２１】
図３に示すように、ＤＭＦＣ２２は、燃料タンク２２１、燃料ポンプ２２２、混合タンク２２３、送液ポンプ２２４、ＤＭＦＣセルスタック２２５および送風ポンプ２２６から構成される。
【００２２】
燃料タンク２２１のメタノールは、燃料ポンプ２２２により混合タンク２２３に送り込まれて希釈される。そして、この希釈されたメタノールは、送液ポンプ２２４によりＤＭＦＣセルスタック２２５に送り込まれる。また、このＤＭＦＣセルスタック２２５には、送風ポンプ２２６により空気が送り込まれ、この空気中の酸素と希釈されたメタノール水溶液とが反応して発電が行われる。
【００２３】
前述のマイコン２１は、電子機器１から送信されてくる起動指示信号に応じて燃料ポンプ２２２、送液ポンプ２２４、送風ポンプ２２６やファンなどの補機を２次電池２３の電力により駆動させるための制御を行ったり、ＤＭＦＣセルスタック２２５もしくは２次電池２３から出力される電力が電子機器１へ供給されるよう供給制御回路２５を制御したりする。また、マイコン２１は、電子機器１から送信されてくる停止指示信号に応じて、ＤＭＦＣ２２の動作を停止させる前に２次電池２３の充電を行うための制御を行ったりする。
【００２４】
一方、図４は、電子機器１の概略構成を示す図である。  
図４に示すように、電子機器１は、ＣＰＵ１１、ＲＡＭ（主メモリ）１２、ＨＤＤ１３、ディスプレイコントローラ１４、キーボードコントローラ１５および電源コントローラ１６がシステムバスに接続される。
【００２５】
ＣＰＵ１１は、この電子機器１全体の動作制御を司るものであり、ＲＡＭ１２に格納された各種プログラムを実行する。ＲＡＭ１２は、この電子機器１の主記憶となるメモリデバイスであり、ＣＰＵ１１によって実行される各種プログラムとこれらのプログラムに用いられる各種データとを格納する。一方、ＨＤＤ１３は、この電子機器１の外部記憶となるメモリデバイスであり、ＲＡＭ１２の補助装置として各種プログラムや各種データを大量に格納する。
【００２６】
ディスプレイコントローラ１４は、この電子機器１におけるユーザインタフェースのアウトプット側を担うものであり、ＣＰＵ１１が作成した画像データをＬＣＤ１４１に表示制御する。一方、キーボードコントローラ１５は、この電子機器１におけるユーザインタフェースのインプット側を担うものであり、キーボード１５１やポインティングデバイス１５２の操作を数値化し、内蔵するレジスタを介してＣＰＵ１１に引き渡す。
【００２７】
電源コントローラ１６は、この電子機器１内の各部に対する電力供給を制御するものであり、燃料電池ユニット２からの電力供給を受ける受電機能と、燃料電池ユニット２との間で信号を送受信する通信機能とを有する。この電源コントローラ１６との間で信号を送受信する燃料電池ユニット２側の相手は、図２及び図３に示したマイコン２１である。
【００２８】
（補機の出力制御に関わる構成）
次に、図５を参照して、補機の出力制御に関わる構成について説明する。  
ここでは、内容を理解しやすくする観点から、補機をポンプ５１と表現するものとする。このポンプ５１には、前述の図３で説明した燃料ポンプ２２２、送液ポンプ２２４、送風ポンプ２２６が含まれる。
【００２９】
ポンプ電源５２（補機用電源回路）は、補機であるポンプ５１に対し電源供給を行うものである。このポンプ電源５２は、ＤＭＦＣセルスタック２２５（もしくは単セル）の出力電圧を監視し、当該出力電圧が所定値となるようにポンプの出力を制御する機能を有する。  
なお、ＤＭＦＣセルスタック２２５および供給制御回路２５については、前述した通りである。
【００３０】
（補機の出力制御）
ここで、補機の出力制御の手法について説明する。
【００３１】
一般に、補機を使用するＤＭＦＣのセルの特性は、図６に示すように補機の出力に応じて変化する（ポンプの出力の大小に応じて変化する）。これは、ＤＭＦＣに供給される燃料（メタノール水溶液、酸素）の量が変化するためである。ＤＭＦＣの特性として、負荷電流が引き出されるとある電流値で電力が最大となり、それ以上に負荷電流が引き出されるとセルの電圧が急激に低下し、供給電力が低下する。また、ＤＭＦＣの燃料利用効率は、通常、供給電力が最大のときに最大となる。このとき発電に寄与しない発熱量が増大する。つまり、必要以上の燃料供給は発電セルの無駄な発熱を引き起こし、燃料利用効率の悪化を招く結果となる。
【００３２】
そこで、本実施形態では、ポンプ電源５２により、負荷に応じてポンプ５１の出力を可変させることで燃料利用効率を向上させる。ポンプ５１の出力制御は、ＤＭＦＣセルスタック２２５の出力電圧を監視することで実現できる。ポンプ５１の出力を可変させると、図６に示されるようにＤＭＦＣセルスタック２２５の出力電流Iout、出力電力Woutが変化する。また、出力電力Woutが最大となるときの電圧Voutの値は、ポンプ５１の出力が変っても、図６に示されるように殆ど同じとなる。このため、ＤＭＦＣセルスタック２２５の出力電圧Voutが一定となるようにポンプ５１の出力を制御することで、常に燃料利用率が最大となる領域で動作させることができる。
【００３３】
（監視電圧の決定）
次に、ＤＭＦＣセルスタック２２５の監視電圧（一定に制御すべき出力電圧Voutの値）の決定手法について説明する。  
前述の図６からわかるように、出力電流Ioutが出力電力Woutの最大値を超えると急激な電圧低下により出力電力Woutが減少する。このとき、高負荷状態が続くと、ＤＭＦＣからより電流を引き出そうとする現象が起こり、発電セルが異常状態となり破壊に至る場合がある。このため、ＤＭＦＣは出力電流Ioutが出力電力Woutの最大値を超えない範囲で使用する必要がある。つまり、電力供給が最大となるセルスタックの電圧よりも若干高い点で安定動作するように制御することで安全性を確保できる。
【００３４】
このときの監視電圧は、セルスタックのスタック間のばらつきと、電圧監視を行う回路側の精度により決定される。例えば、以下の条件で監視電圧を決定するものとする。
【００３５】
・単セルの電力供給最大となる電圧Vmaxは0.4Ｖ
・スタックして使用するセルの枚数Xsを20枚とする
・セル間の電圧ばらつきVtsを0.01Ｖとする
・いずれのセルも0.4Ｖを超えてはならない
・回路側の読み取り精度Vtchを±0.1Ｖとする
通常は、Vmax×Xs＝0.4×20＝8.0Ｖが電力を最大供給できる値となる。ただし、セルの電圧ばらつきを考えると、一枚だけ電圧の低いセルがあるときに電圧が最大となり、0.4＋0.41×19＝8.19Ｖとなる。さらに、回路の電圧読み取り精度Vtchの影響により、8.19＋0.1＝8.29Ｖとなる。つまり、
Vs≧Vmax×Xs＋Vts×(Xs-1)＋Vtch
が安全に使用するための電圧監視の値となる。
【００３６】
（ポンプ電源の内部構成）
図７に、ポンプ電源５２の内部構成の一例を示す。  
図７の例では、ポンプ電源５２の中に比較器５３および電圧源５４が備えられる。比較器５３は、予め設定しておいた監視電圧である基準値Vrefと、監視すべきＤＭＦＣセルスタック２２５の出力電圧Voutとを入力し、その差分に応じた制御信号を電圧源５４へ供給する。電圧源５４は、比較器５３から供給される制御信号に応じて、ＤＭＦＣセルスタック２２５等から得られる電圧Vからポンプ５１に必要な電圧を生成して出力する。
【００３７】
（監視電圧とポンプ出力との関係）
図８に、監視電圧とポンプ出力との関係を示す。  
ポンプ電源５２は、図に示されるように、ＤＭＦＣセルスタック２２５の出力電圧Voutが監視電圧である基準値Vrefよりも大きければ、ポンプ５１の出力が最小出力値Pminとなるように当該ポンプ５１を制御する。一方、ＤＭＦＣセルスタック２２５の出力電圧Voutが基準値Vrefよりも小さければ、ポンプ５１の出力が最大出力値Pmaxとなるように当該ポンプ５１を制御する。
【００３８】
（ＤＣ／ＤＣコンバータとの組み合わせ）
次に、図９を参照して、図５の構成にＤＣ／ＤＣコンバータを適用した例について説明する。なお、図５と共通する要素については、詳細な説明を省略する。  
図９に示されるように、供給制御回路２５の中には、ＤＣ／ＤＣコンバータ（例えば、昇圧型ＤＣ／ＤＣコンバータ）６０、２つのダイオード（整流器）６１，６２、およびスイッチ６３を備えている。
【００３９】
ＤＣ／ＤＣコンバータ６０は、昇圧回路等を含み、ＤＭＦＣセルスタック２２５から出力される電力に対してＤＣ／ＤＣ変換を行ってから電力を出力するものである。このＤＣ／ＤＣコンバータ６０は、ＤＭＦＣセルスタック２２５における単セル（あるいはセルスタック）の出力電圧Voutを監視し、その電圧が図１０に示されるように前述の所定値Vref（ここでは、Vs’（第１の値）とする）を下回り、所定値Vs（第２の値）以下となったときに当該ＤＣ／ＤＣコンバータの出力電圧を垂下させる特性を有している。但し、この場合の所定値Vsは、ＤＭＦＣセルスタック２２５の出力電力Woutのピーク値における電圧値Vmaxよりも少しだけ高い値であるものとする。また、上記ＤＣ／ＤＣコンバータ６０は、出力電圧Voutが所定値Vs以下となったときには、出力電流の増加に伴って低下する出力電圧を形成する。このとき、ＤＣ／ＤＣコンバータ６０は、出力電流の値にかかわらず一定の出力電力を形成する。
【００４０】
ダイオード６１およびダイオード６２の組み合わせは、ダイオードＯＲ回路を形成しており、ＤＣ／ＤＣコンバータ６０から出力される電力と２次電池（ＬＩＢ）２３から出力される電力とから、給電先の負荷に応じた電力を選択的に取得して出力するものとなっている。
【００４１】
スイッチ６３は、例えば前述のマイコン２１（図２及び図３）によって制御され、負荷機器（ここでは、電子機器１）への電力の供給／停止を切り替えるものである。
【００４２】
ＤＭＦＣは発電機であるため、電力供給能力を増やそうとすると体積（サイズ）を増加させてしまうことになる。そこで、図示のようにＤＭＦＣセルスタック２２５と２次電池２３との併用を考える。この場合、ＤＭＦＣセルスタック２２５から供給する電力は、負荷機器（ここでは、電子機器１）が要求する平均電力程度とし、その程度を超える電力については2次電池から供給されるようにしている。但し、ＤＭＦＣセルスタック２２５は可能な限り有効活用することが望ましいので、定電力特性をもつＤＣ／ＤＣコンバータ６０をダイオードＯＲ回路に組み合わせている。さらに、その構成に補機の出力制御のための構成を組み合わせているため、より一層効率的なシステムを実現している。
【００４３】
つまり、ポンプ電源５２によりＤＭＦＣセルスタック２２５の出力電圧VoutをVs’（Vs＋α）にするための制御を行い、もし出力電圧Voutが監視電圧Vsを下回ればＤＣ／ＤＣコンバータ６０により定電力を出力するための制御を行う。補機の出力には限りがあるため、電圧がVs’を下回る場合があるが、出力電力Woutがピーク値に達することはない。この場合、ＤＭＦＣセルスタック２２５の出力電圧VoutがVs’を下回り、Vsに達した段階でＤＣ／ＤＣコンバータ６０中の定電力回路により供給電力が一定に保たれる。このときVs’の値を定めるにあたり、
・定電力回路の電圧監視精度Vtcw（例えば0.1Ｖ）
・補機制御回路の応答遅れによる電圧低下Vd（例えば0.5Ｖ）
を考慮する必要があるため、Vs’は、
Vs’＝Vs＋Vtcw＋Vd  （例えば8.29＋0.1＋0.5＝8.89Ｖ）
となる。
【００４４】
このように、電圧Vmaxで出力電力Woutが最大となるＤＭＦＣセルスタックの出力電圧Voutに対して、Vmaxよりも高い電圧値である２段階の監視電圧により制御を行っているため、安定かつ効率的なシステムが実現される。
【００４５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４６】
【図１】本発明の一実施形態に係る電子機器システムの外観を示す図。
【図２】燃料電池ユニットの概略構成を示す図。
【図３】燃料電池ユニットの燃料循環機構の構成を示す図。
【図４】電子機器の概略構成を示す図。
【図５】補機の出力制御に関わる構成を示す図。
【図６】ＤＭＦＣのセルの特性を示す図。
【図７】ポンプ電源の内部構成の一例を示す図。
【図８】監視電圧とポンプ出力との関係を示す図。
【図９】図５の構成にＤＣ／ＤＣコンバータを適用した例を示す図。
【図１０】２段階の監視電圧による制御を説明するための図。
【符号の説明】
【００４７】
１…電子機器、２…燃料電池ユニット、３…メインバッテリ、２１…マイコン、２２…ＤＭＦＣ、２３…２次電池、２４…充電回路、２５…供給制御回路、２６…操作ボタン、５１…ポンプ、５２…ポンプ電源、５３…比較器、５４…電圧源、６０…ＤＣ／ＤＣコンバータ、６１，６２…ダイオード、６３…スイッチ、１４１…ＬＣＤ、１５１…キーボード、１５２…ポインティングデバイス、２２１…燃料タンク、２２２…燃料ポンプ、２２３…混合タンク、２２４…送液ポンプ、２２５…ＤＭＦＣセルスタック、２２６…送風ポンプ、２３１…Ｅ２ＰＲＯＭ。
【図１】
2005108712.tif 000003
【図２】
2005108712.tif 000004
【図３】
2005108712.tif 000005
【図４】
2005108712.tif 000006
【図５】
2005108712.tif 000007
【図６】
2005108712.tif 000008
【図７】
2005108712.tif 000009
【図８】
2005108712.tif 000010
【図９】
2005108712.tif 000011
【図１０】
2005108712.tif 000012